(57)【要約】      （修正有）【課題】マスク着用時にマスク内側の環境を快適に保ち且つ眼鏡のくもり防止を可能とするシンプルでコンパクトな構造で誰でも簡単にマスクへの取り付けが可能なマスク用補助具を提供する。【解決手段】口元および鼻を覆う本体部の両端部に設けられた耳掛け用部とから成るマスクの下端部に着脱自在に設けられるマスク用補助具１００であって、両端部に開口部１２２、１２４が形成され、開口部１２２を有する一端部１２０ａ側は軟性の樹脂素材にて形成され、他端部１２０ｂ側は硬性の樹脂素材にて形成された内部が中空状の通気用管体１２０と、通気用管体１２０の他端部１２０ｂ側に設けられマスク下端部に着脱自在に取着される取着部１４０とを具備し、通気用管体１２０の一端部１２０ａ側の開口部１２２の面積は他端部１２０ｂ側の開口部１２４の面積より大きくなるよう形成した。【選択図】図１
0003230824.tif 000002
【実用新案登録請求の範囲】
【請求項１】
口元および鼻を覆う本体部と、この本体部の両端部に設けられた耳掛け用部とから成るマスクの下端部に着脱自在に設けられるマスク用補助具であって、
両端部に開口部が形成され、その一端部側は軟性の樹脂素材にて形成されその他端部側は硬性の樹脂素材にて形成された内部が中空状の通気用管体と、
この通気用管体の他端部側に設けられ上記マスクの下端部に着脱自在に取着される取着部とを具備し、
上記通気用管体の一端部側の開口部の面積は他端部側の開口部の面積より大きくなるよう形成されたことを特徴とするマスク用補助具。
【請求項２】
上記通気用管体は、軟性の樹脂素材にて形成された第一部品と硬性の樹脂素材にて形成された第二部品とから構成され、
上記第一部品の端部を第二部品の端部に着脱自在に装着させることにより一体的に成るようにしたことを特徴とする請求項１記載のマスク用補助具。
【考案の詳細な説明】
【技術分野】
【０００１】
本考案は、マスクの内側の環境改善を図ったマスク用補助具、特に風邪や花粉対策或いは防寒や保湿等の目的で日常的に使用される家庭用マスクの着用時に、長時間に渡り快適に使用可能とし、また眼鏡のくもり防止を図ったマスク用補助具に関する。
【背景技術】
【０００２】
従来、風邪や花粉対策或いは防寒や保湿等の目的で日常的に使用されるマスクは、フェースマスクや家庭用マスクとも称され、ガーゼタイプのもの、不織布タイプのもの或いはポリウレタンタイプのもの他種々のものが提供されている。特に近時は、新型コロナウイルス感染症の流行もあり、フィルタ機能や密閉機能を重視した種々のものが提案されている。
【０００３】
ここで、高いフィルタ機能や密閉機能を追求すればする程、着用時に於けるマスクの内側の環境のコントロールが難しくなる傾向にある。これは、マスク着用者にとっては、快適さが損なわれることは否めないものである。特に、マスク着用が苦手な者にとっては、また高い気温等の状況下にあっては、とても辛いものである。
【０００４】
また、呼気はマスク下部より上部側から排出される傾向にあるので、密閉度を高めれば高める程、眼鏡がくもり易くなるものである。最悪の場合、常にマスクがくもった状態になることもあるものであった。
【０００５】
下記特許文献１には、フィルタ機能を有するマスクに装着する補助具が開示されている。このものにあっては、フィルタ機能を有するマスク本体の上縁部を、外面器具並びに排気弁箱および排気管から成る排気装置を有する内面器具で挟み、マスク本体上縁部の隙間を外面器具に取り付けられた耳掛け紐を耳に装着することで圧迫して塞ぐこと等により、マスク本体内の呼気のみを外部へ排出するよう構成したものである。これにより、フィルタ機能を維持しつつ、呼気で眼鏡がくもることを防止しようとしたことを特徴としたものである。
【０００６】
下記特許文献２には、マスク上部にフエルトを取り付けて肌への密着度および密閉度を高めて不必要な空気の流通を妨ぐ合成皮革生地を使用したマスクが開示されている。このものにあっては、１２ヶ所に直径５ｍｍのハトメ付き空気穴が設けられており、この空気穴を介してのみ息の吸入および排気ができるように構成してある。この構成により、眼鏡のくもり防止を図れることを特徴としたものである。
【０００７】
下記非特許文献１には、マスク内の環境改善および眼鏡のくもりの改善を図ったマスク用補助具が開示されている。このものにあっては、本体部分の一端部にステンレス製クリップが取り付けられた口径約１ｃｍ、長さ約５ｃｍの透明な塩化ビニル樹脂製のチューブを、マスク内側の中央下端部に取り付けて着用することにより、マスク内の湿気と熱気を排出するようにしたことを特徴としたものである。
【先行技術文献】
【特許文献】
【０００８】
【特許文献１】特開平２０１２−２２８４９０号公報
【特許文献２】実用新案登録第３０６０１５５号公報
【非特許文献】
【０００９】
【非特許文献１】ｈｔｔｐｓ：／／ｒａｙｔｒｉｌｏｇｙ．ｔｈｅｓｈｏｐ．ｃｏ．ｊｐ／
【考案の開示】
【考案が解決しようとする課題】
【００１０】
特許文献１に開示されたものは、マスク本体の内面側と顔面との間に形成される外気よりも大きな圧力を排気弁箱と排気管を介してマスク本体の外部に排出することで、マスク本体のフィルタ機能を維持しつつ、マスク本体内から漏れ出る呼気で眼鏡がくもることを防止できるが、構造が複雑なものである。また、通常使用されている使い捨てマスクの殆どのものに繰り返し使用可能かもしれないが、適切に取り付けて着用する必要があり、利用者はその着用を習熟する必要があり、幾分煩わしい作業を強いられるものである。
【００１１】
特許文献２に開示されたものは、鼻の上部で眼鏡がマスクの上部を押さえるので、息漏れが少なく眼鏡がくもり難くなるかもしれないが、素材に風通しの悪い合成皮革生地を使用しているので、マスク内の環境は快適とは言い難いものである。また、特殊な素材と構造であるので、実用面や経済面での優位性は見出せないものである。
【００１２】
非特許文献１に開示されたものは、本体部分に軽量で柔らかな素材を用いているので、着用するマスクの密閉度を高めると、本体部分が変形して或いは潰れて、通気機能が損なわれてしまう虞があるものである。また、薄目の生地より成るマスク、例えば不織布マスクへの取り付けを想定しているので、利用範囲が限られてしまうものである。
【００１３】
そこで、本考案は上記事情を考慮してなされたもので、上述した不具合を解消し、マスク着用時にマスク内側の環境を快適に保ち且つ眼鏡のくもり防止を可能とするシンプルでコンパクトな構造で誰でも簡単にマスクへの取り付けが可能なマスク用補助具を提供することを目的とする。
また、本考案は、繰り返し利用可能な使い勝手のよいマスク用補助具を提供することを目的とする。
さらに、本考案は、生産性および経済性に優れるマスク用補助具を提供することを目的とする。
【課題を解決するための手段】
【００１４】
本考案は、上記目的を達成するために以下の通りの構成とすることを特徴とする。
【００１５】
（１）  口元および鼻を覆う本体部と、この本体部の両端部に設けられた耳掛け用部とから成るマスクの下端部に着脱自在に設けられるマスク用補助具であって、両端部に開口部が形成されその一端部側は軟性の樹脂素材にて形成されその他端部側は硬性の樹脂素材にて形成された内部が中空状の通気用管体と、この通気用管体の他端部側に設けられマスクの下端部に着脱自在に取着される取着部とを具備し、上記通気用管体の一端部側の開口部の面積は他端部側の開口部の面積より大きくなるよう形成するよう構成したことを特徴とする。
【００１６】
（２）  上記（１）の構成にあって、上記通気用管体の他端部側の開口部近傍には、当該通気用管体の外面部と内面部とを貫通する貫通口部が形成されるよう構成したことを特徴とする。
【００１７】
（３）  上記（１）または（２）の構成にあって、上記通気用管体は、軟性の樹脂素材にて形成された第一部品と硬性の樹脂素材にて形成された第二部品とから構成され、上記第一部品の端部を第二部品の端部に着脱自在に装着させることにより一体的に成るよう構成したことを特徴とする。
【００１８】
上記構成によれば、確実に通気を確保できるので、マスク内側の環境を快適に保ち且つ眼鏡のくもり防止を実現できるものである。しかも、誰でも簡単にマスクへの取り付けが可能であり、繰り返しの利用も可能なので、使い勝手がよく実用的な効果を奏するものである。
【００１９】
また、上記構成によれば、軽量で極めてシンプルでコンパクトな構造なので、見栄えもよく、生産面および経済面に於いて優位となるものである。
【００２０】
さらに、上記構成によれば、マスク下端部の任意の位置に着脱自在に取着するようにしたので、例えばマスク下端部の中央部位以外の部位に取着する場合、唇や鼻へ当ることなく、違和感なく利用可能となるものである。
【考案の効果】
【００２１】
本考案によれば、誰でも簡単にマスクへの取り付けが可能で、マスク着用時はマスク内側の環境を快適に保ち、且つ眼鏡のくもり止めも可能となるので、使い勝手がよく実用的に有用な効果を奏するものである。
また、本考案は、繰り返しの利用が可能であり、しかも極めてシンプルでコンパクトな構造なので、生産面は勿論、経済面に於いても優れるという効果を奏するものである。
【図面の簡単な説明】
【００２２】
【図１】本考案の一実施形態に係わるマスク用補助具の全体の概略構成を模式的に示す平面図である。
【図２】同実施形態に係わり、マスク用補助具の全体の概略構成を模式的に示す側面図である。
【図３】同実施形態に係わり、マスク用補助具の両端部の開口部を模式的に示す図であり、（ａ）は一端部側の開口部を示す図であり、（ｂ）は他端部側の開口部を示す図である。
【図４】同実施形態に係わり、マスク用補助具のマスクへの取り付け状態を模式的に示す図である。
【図５】同実施形態に係わり、マスク用補助具が取り付けられたマスクの内側環境を模式的に示す図である。
【図６】同実施形態の変形例に係わり、マスク用補助具の全体の概略構成を模式的に示す側面図である。
【図７】同実施形態の他の変形例に係わり、マスク用補助具の全体の概略構成を模式的に示す側面図である。
【図８】同実施形態の更に他の変形例に係わり、マスク用補助具の全体の概略構成を模式的に示す側面図である。
【考案を実施するための形態】
【００２３】
以下本考案の一実施形態につき、図面を参照して説明する。
【００２４】
本実施形態に係わるマスク用補助具（以下「補助具」と称す）１００は、マスクの下端部に着脱自在に取着されるものである。
例えば、補助具１００は、口元および鼻を覆う平面形状が略長方形で内部にフィルタ不織布を有する四層構造のプリーツ状の本体部２２０と、この本体部２２０の短手方向の両端部２２０ａ，２２０ｂに設けられた伸縮自在のゴム製の耳掛け用部２４０，２４０とから成るマスク２００（図５参照）の内側（裏側）２００ａ、即ち本体部２２０の内側（裏側）２２２の下端部２２０ｃに着脱自在に取着される。
図１に示すように、補助具１００は、通気用管体１２０と、取着部１４０とを具備する。
通気用管体１２０は、その両端部（１２０ａ，１２０ｂ）に開口部１２２，１２４が形成されており、一端部１２０ａ側は軟性の樹脂素材にて形成され、他端部１２０ｂ側は硬性の樹脂素材にて形成され、内部が中空状を呈している。通気用管体１２０の一端部１２０ａ側の開口部１２２の面積（ＳＡ）は、他端部１２０ｂ側の開口部１２４の面積（ＳＢ）より大きくなるよう、即ちＳＡ＞ＳＢとなるよう形成されている。
また取着部１４０は、この通気用管体１２０の他端部１２０ｂ側に設けられ、マスク２００の下端部２２０ｃにおいて着脱自在にマスク２００に取着される。なお取着部１４０は、通気用管体１２０の開口部１２２と長手方向に斜向かいの部位に設けられることが望ましい。
【００２５】
ここで、通気用管体１２０の一端部１２０ａ側の開口部１２２は、長径が２Ｄ、短径がＤの楕円形状を呈している。また、他端部１２０ｂ側の開口部１２４は、直径がＤの円形状を呈している。なお、開口部１２２，１２４の形状はこれに限らず他の形状であってもよいことは勿論である。
【００２６】
また取着部１４０は、マスク２００の下端部２２０ｃのうち、中央部位以外の部位に取着されることが好ましい。これは、マスク２００内の環境を快適に保つためである。即ち、取着部１４０をマスク２００の中央部位に取着すると、唇や鼻に通気用管体１２０が当たるとともにマスク２００の着用による圧迫感により、利用者にとって違和感・不快感を生じる虞が極めて大きくなることは勿論、マスク２００内の呼気の排気が適切に行えなくなる虞があるためである。好適な取着部１４０の取着部位は、マスク２００の両端部２２０ａ，２２０ｂの近傍である。
【００２７】
さて、補助具１００について、詳述する。
【００２８】
通気用管体１２０の一端部１２０ａ側（図１および図２中、左半分側）は、通気用管体１２０の全長の半分程度の長さを有し、例えば透明な塩化ビニル樹脂製の軟性の樹脂素材でチューブ状に形成されている。
【００２９】
他方、通気用管体１２０の他端部１２０ｂ側（図１および図２中、右半分側）は、同様に半分程度の長さを有し、例えば半透明なアクリル製の硬性の樹脂素材で円筒状に形成されている。
【００３０】
而して、一端部１２０ａ側と他端部１２０ｂ側は、例えば夫々の他の端部にて熱圧着により一体となるよう形成されて、シームレスな１本の通気用管体１２０を成すものである。なお、素材はこれに限らず他のものを用いてもよいことは勿論である。
【００３１】
取着部１４０は、通気用管体１２０の他端部１２０ｂ側と同一素材にて開口部１２４の外周部位に一体形成されたクリップである。なお取着部１４０をバインダークリップとすると、マスク２００の下端部２２０ｃにより取着し易くなる。
また本実施形態では取着部１４０は通気用管体１２０に一体形成してあるが、これに限定される訳ではなく、他に例えば着脱自在に通気用管体１２０に取り付けられるよう構成してもよいことは勿論である。更に本実施形態では取着部１４０をクリップとしたが、マスク２００の下端部２２０ｃに取着することができれば他の形状および態様であってもよい。
更に本実施形態では取着部１４０の素材を通気用管体１２０の他端部１２０ｂ側と同一素材としたが、例えば金属等の他の素材であってもよいことは勿論である。
【００３２】
上記構成につき、その作用を以下に説明する。
【００３３】
補助具１００の利用に当っては、通気用管体１２０（開口部１２２）がマスク２００の内側に位置するよう、マスク２００の下端部で、即ち本体部２２０の下端部２２０ｃで、好ましくはその中央部位を除く部位に取着部１４０にてクリップ留めする。
【００３４】
補助具１００が取着されたマスク２００を着用して呼吸をすると、図５に示すように、呼気は通気用管体１２０の一端部１２０ａ側の開口部１２２から他端部１２０ｂ側の開口部１２４を介して、マスク２００の下方へ排出される。即ち、密閉されたマスク２００内の呼気は、二点鎖線ｅ１，ｅ２，…，ｅｉで示すように開口部１２２に向かい、通気用管体１２０の内部を通って開口部１２４を介して、二点鎖線Ｅの方向に排出されることになる。また、呼気のみならず熱気や湿気も同様に排出されることになる。
【００３５】
上記実施形態によれば、マスク２００着用時、密閉された本体部２２０内の呼気は補助具１００を介してマスク２００の下方外部へ排出するよう構成したので、呼気がマスク２００の上部側へ排出されることを防ぎ、下方への通気を確保でき、マスク２００の内側の環境を快適に保つことが可能となる。またこれにより、眼鏡のくもり防止を実現できるものである。しかも、補助具１００をマスク２００の両端部近傍に取着する場合、利用者は違和感・不快感を生じる虞がないものである。
特に、通気用管体１２０を軟性の樹脂と硬性の樹脂により形成したので、通気性を損なうことなく違和感・不快感なく利用が可能となるものである。
【００３６】
また、上記実施形態によれば、補助具１００は、取着部１４０にてクリップ留めするだけなので、誰でも簡単にマスクへの取り付けができ、繰り返しの利用も可能であり、使い勝手がよく実用的な効果を奏するものである。
【００３７】
さらに、上記実施形態によれば、軽量で極めてシンプルでコンパクトな構造で携帯性にも優れ、また見栄えもよいので、生産面および経済面に於いても優位性を有するものである。
【００３８】
なお、補助具１００は、フィルタ不織布を有する複数層構造のプリーツ状のマスクのみならず、天然素材である綿織物を使用している平型タイプのガーゼマスクや顔の形に合わせてデザインされ外周縁部が隙間なく肌に密着するとともに口元との間に空間が形成される立体型マスク、或いは厚手のものや薄手のもの等マスクの種類を選ばず適用可能なことは勿論である。
【００３９】
本考案は上記実施形態に限定されるものではなく、本考案の要旨を逸脱しない限り種々の変形が可能なことは勿論である。
【００４０】
例えば、上記実施形態の変形例の一つを図６に示す。上記実施形態と同一部分および／または同一機能については、同一符号を付して当該箇所の説明は省略する。図６に示すように、本変形例では、通気用管体１２０の他端部１２０ｂの近傍に通気用管体１２０の外面部と内面部とを貫通する貫通口部１２６を形成したことを特徴としている。
【００４１】
而して、上記実施形態の作用・効果に加えて、マスク２００内の呼気を開口部１２４および貫通口部１２６を介して、マスク２００の外部下方へより効率的に排気が可能となるものである。
【００４２】
また、例えば上記実施形態の他の変形例の一つを図７に示す。上記実施形態および前述変形例と同一部分および／または同一機能については、同一符号を付して当該箇所の説明は省略する。
図７に示すように、本変形例では、通気用管体１２０を、その一端部１２０ａ側は軟性の樹脂素材である透明な塩化ビニル樹脂にて成形した第一部品１２０ｘと、他端部１２０ｂ側は硬性の樹脂素材である半透明なアクリル樹脂にて成形した第二部品１２０ｙとから構成したことを特徴としている。
第一部品１２０ｘは、両端部が開口しており（開口部１２２，１２０ｘａ）、その内部は中空状を呈している。
また第二部品１２０ｙは、両端部が開口しており（開口部１２４，１２０ｙａ）、その内部は中空状を呈している。
【００４３】
即ち、第一部品１２０ｘの開口部１２２の反対側部位（開口部１２０ｘａ近傍）を、第二部品１２０ｙの開口部１２４の反対側部位（開口部１２０ｙａ近傍）の外周に着脱自在装着することにより、通気用管体１２０が一体的となるよう構成されている。
本変形例では、第二部品１２０ｙの開口部１２４の反対側部位、即ち開口部１２０ｙａ近傍は、第一部品１２０ｘが着脱し易いように先端にいくにつれて口径が徐々に小さくなるよう形成されているが、この構成は、第一部品１２０ｘを第二部品１２０ｙに着脱可能に装着し得る構成であればこれに限定されない。例えば、図８に示すように、第一部品１２０ｘの口径を第二部品１２０ｙの口径よりも大きくすることで、第一部品１２０ｘを第二部品１２０ｙに着脱し得るようにしてもよい。また第一部品１２０ｘの開口部１２０ｘａ近傍を先端にいくにつれて口径が徐々に小さくなるように形成してもよい。
また本変形例においては、第二部品１２０ｙの口径を直径９ｍｍ、補助具１００の全長、即ち第一部品１２０ｘの開口部１２２から第二部品１２０ｙの開口部１２４までの長さを５ｃｍから７ｃｍとすることが好ましい。
【００４４】
斯様な構成にすることにより、上記実施形態および前述変形例の作用・効果に加えて、補助具１００のメンテナンス性の向上を図れるものである。また、第一部品１２０ｘ側の開口部の形状や大きさまたは当該部品１２０ｘの全長も任意に変更可能となるので、利用シーンに合わせて好適な使い方が可能となるものである。
【符号の説明】
【００４５】
１００          …マスク用補助具（補助具）
１２０          …通気用管体
１２０ａ        …一端部
１２０ｂ        …他端部
１２０ｘ        …第一部品
１２０ｙ        …第二部品
１２２，１２４  …開口部
１２６          …貫通口部
１４０          …取着部
２００          …マスク
２２０          …本体部
２２０ｃ        …下端部
２４０          …耳掛け用部
【図１】
0003230824.tif 000003
【図２】
0003230824.tif 000004
【図３】
0003230824.tif 000005
【図４】
0003230824.tif 000006
【図５】
0003230824.tif 000007
【図６】
0003230824.tif 000008
【図７】
0003230824.tif 000009
【図８】
0003230824.tif 000010
【手続補正書】
【提出日】令和2年12月9日(2020.12.9)
【手続補正１】
【補正対象書類名】実用新案登録請求の範囲
【補正対象項目名】全文
【補正方法】変更
【補正の内容】
【実用新案登録請求の範囲】
【請求項１】
口元および鼻を覆う本体部と、この本体部の両端部に設けられた耳掛け用部とから成るマスクの下端部に着脱自在に設けられるマスク用補助具であって、
両端部に開口部が形成され、その一端部側は軟性の樹脂素材にて形成されその他端部側は硬性の樹脂素材にて形成された内部が中空状の通気用管体と、
この通気用管体の他端部側に設けられ上記マスクの下端部に着脱自在に取着される取着部とを具備し、
上記通気用管体の一端部側の開口部の面積は他端部側の開口部の面積より大きくなるよう形成されたことを特徴とするマスク用補助具。
【請求項２】
上記通気用管体は、軟性の樹脂素材にて形成された第一部品と硬性の樹脂素材にて形成された第二部品とから構成され、
上記通気用管体は、上記第一部品の端部を第二部品の端部に着脱自在に装着させることにより一体的に成るように構成し、
上記第一部品は上記通気用管体の先端側部を構成し上記第二部品は上記通気用管体の他端部側を構成するようにしたことを特徴とする請求項１記載のマスク用補助具。